(57)【特許請求の範囲】
【請求項１】
段ボール(1a)を貼り合わせた積層段ボール板(1)に、端縁から少し間隔をあけて罫線(2)を入れ、積層段ボール板(1)同士を、その端縁と罫線(2)に挟まれた部分の一面同士を貼り合わせて接続し、罫線(2)に沿って折り曲げられるようにした積層段ボール板の接続構造体において、積層段ボール板(1)の段ボール(1a)をずらして重ねることにより、積層段ボール板(1)の端縁から罫線(2)にかけて、１枚の段ボールのみから成る単層部(3)を形成し、積層段ボール板(1)の単層部(3)同士を段ボール(1a)の積層側の反対面で貼り合わせて、積層段ボール板(1)同士を接続したことを特徴とする積層段ボール板の接続構造体。
【請求項２】
前記積層段ボール板(1)は、対向する端部に、重なり合うそれぞれの段ボール(1a)から単層部(3)が形成されたものとし、４枚の積層段ボール板(1)を単層部(3)で接続し、扁平状態から四角筒状又はコ字状に組み立てられるようにしたことを特徴とする請求項１に記載の積層段ボール板の接続構造体。
【発明の詳細な説明】
【技術分野】
【０００１】
この発明は、災害時に避難所で使用する間仕切りに適した積層段ボール板の接続構造体に関するものである。
【背景技術】
【０００２】
災害時の避難所では、プライバシー保護のため、簡易的な間仕切りが設置される。このような間仕切りとして、下記特許文献１には、図１０に示すように、段ボール５１に縦方向の罫線５２を入れて複数の板状部５３を連設し、その下部に横方向の罫線５４を入れて支持部５５を設け、使用時には、板状部５３を屏風状に折り曲げ、支持部５５を水平方向へ折り曲げて直立させ、保管時には、扁平に折り畳むものが記載されている。
【０００３】
ところで、避難所のスペースを有効に利用するためには、空間を格子状に区画することが望ましく、また、間仕切りを構成するためには、段ボールの製造寸法の制約上、複数枚の段ボールを接続して長尺化する必要がある。そして、部屋の形成に際しては、段ボールを接続部分で大きく折り曲げる必要がある。
【０００４】
また、撓みに対する強度を確保するため、材料として複両面段ボールや通常の両面段ボールを複数枚重ねて貼り合わせた積層段ボール板を用いる必要がある。
【０００５】
このような条件下で間仕切りを構成するため、図９（ａ）、（ｂ）に示すように、両面段ボール５６ａを端縁が揃うように貼り合わせて積層段ボール板５６を形成し、これに端縁から少し間隔をあけて罫線５７を入れ、２枚の積層段ボール板５６同士を、その端縁と罫線５７に挟まれた部分同士を一面で貼り合わせて接続し、罫線５７に沿って９０°又は１８０°折り曲げられるようにすることが考えられる。
【先行技術文献】
【特許文献】
【０００６】
【特許文献１】特開２００３−８２７９６号公報
【発明の概要】
【発明が解決しようとする課題】
【０００７】
しかしながら、上記のような接続部分を有する構造体では、積層段ボール板５６同士を扁平状態から２７０°折り曲げようとすると、罫線５７の押圧面の反対側の段ボール５６ａが破断するおそれがあるため、間仕切りの組立形態に制約が生じる。
【０００８】
また、積層段ボール板５６において、段ボール５６ａ同士を端縁まで重ねていることから、材料の段ボールの使用面積が大きくなるという問題がある。
【０００９】
そこで、この発明は、積層段ボール板の接続構造体を、扁平状態から各種使用形態に容易に組み立てられるようにし、材料の使用面積も削減することを課題とする。
【課題を解決するための手段】
【００１０】
上記課題を解決するため、この発明は、段ボールを貼り合わせた積層段ボール板に、端縁から少し間隔をあけて罫線を入れ、積層段ボール板同士を、その端縁と罫線に挟まれた部分の一面同士を貼り合わせて接続し、罫線に沿って折り曲げられるようにした積層段ボール板の接続構造体において、積層段ボール板の段ボールをずらして重ねることにより、積層段ボール板の端縁から罫線にかけて、１枚の段ボールのみから成る単層部を形成し、積層段ボール板の単層部同士を段ボールの積層側の反対面で貼り合わせて、積層段ボール板同士を接続したのである。
【００１１】
また、積層段ボール板は、対向する端部に、重なり合うそれぞれの段ボールから単層部が形成されたものとし、４枚の積層段ボール板を単層部で接続し、扁平状態から四角筒状又はコ字状に組み立てられるようにしたのである。
【発明の効果】
【００１２】
この発明に係る積層段ボール板の接続構造体では、扁平状態から使用形態への組み立てに際し、積層段ボール板同士を、１枚の段ボールのみから成る単層部の罫線に沿って折り曲げるので、２７０°に折り曲げることもでき、組み立てが容易な避難所用の間仕切り等を構成することができる。
【００１３】
また、積層段ボール板の段ボールをずらして重ねることにより、単層部を形成しているので、重なり合う段ボールの端縁を揃えた従来のものに比較して、接続部分を除いた有効寸法が同一である場合、材料の段ボールの使用面積を削減することができる。
【図面の簡単な説明】
【００１４】
【図１】この発明の実施形態に係る間仕切りの扁平状態を示す斜視図
【図２】同上の概略側面図
【図３】同上の接続部分を僅かに折り曲げた状態を示す概略側面図
【図４】同上の積層段ボール板の（ａ）側面図、（ｂ）平面図
【図５】同上の基本組立形態を示す斜視図
【図６】同上の居室組立形態を示す斜視図
【図７】同上の更衣室組立形態を示す斜視図
【図８】同上の接続部分の（ａ）９０°、（ｂ）１８０°、（ｃ）２７０°折曲状態を示す拡大断面図
【図９】従来の接続部分の（ａ）９０°、（ｂ）１８０°折曲状態を示す拡大断面図
【図１０】特許文献１に係る間仕切りの使用形態を示す斜視図
【発明を実施するための形態】
【００１５】
以下、この発明の実施形態を添付図面に基づいて説明する。
【００１６】
図１に扁平状態で示す積層段ボール板の接続構造体は、図５乃至図７に示すような形態に組み立てて、災害時に避難所で使用する簡易的な間仕切りであり、図２及び図３に示すように、４枚の積層段ボール板１を接続して構成されている。
【００１７】
積層段ボール板１は、図４に示すように、段目を縦方向へ向けた正方形の段ボール１ａを横方向にずらして重ね、貼り合わせたものである。各段ボール１ａの積層側の面には、その段ボール１ａの両端縁から少し間隔をあけて押罫の罫線２が入れられ、積層段ボール板１の対向する端縁から罫線２にかけて、１枚の段ボールのみから成る単層部３が形成されている。積層段ボール板１の上下両側部には、それぞれ切込４が設けられている。
【００１８】
段ボール１ａとしては、ずらして積層することから、通常の両面段ボールであるＢフルートのものが用いられている。段ボール１ａの一辺の長さは、避難者のプライバシーを保護しつつ、避難所の見通しを確保できるように、建具等の基準寸法である９００ｍｍ程度とされ、段ボール１ａ同士の横方向へのずれは、５０ｍｍ程度とされている。
【００１９】
なお、罫線２は、この例では押罫としているが、段ボールを厚さ方向の途中まで切り込んだ半切線や、押罫と切目が交互に断続するリード罫としてもよい。また、２本の罫線が１組となって並行する二重罫としてもよい。
【００２０】
このような積層段ボール板１同士は、図２及び図３に示すように、単層部３同士を段ボール１ａの積層側の反対面で貼り合わせて、扁平状態で４枚重なり合うように接続され、罫線２に沿って互いに離反する方向へ折り曲げられるものとされている。
【００２１】
また、接続構造体の両端となる積層段ボール板１の単層部３には、接続構造体同士の連結や、更衣時等に戸締りができるように、面ファスナ５が取り付けられている。
【００２２】
上記のように構成した接続構造体から成る間仕切りは、平常時においては、図１に示すような扁平状態としておくと、避難所となる体育館や公民館等の倉庫に保管しておく際、嵩張ることがない。
【００２３】
そして、災害発生時、基本形態として、授乳時やおむつ替え時等にプライバシーを確保するための小部屋を形成する際には、図５に示すように、４枚の積層段ボール板１を、罫線２に沿って四角筒状に折り曲げ、二つ折りにした保形用の付属具６の切込７と、角部に臨む積層段ボール板１の上部の切込４とを相互に差し込んで、組立形状を維持する。
【００２４】
この組立過程において、接続構造体の両側の積層段ボール板１の接続部分は、９０°の折曲部Ａとなり、接続構造体の中央の積層段ボール板１の接続部分は、２７０°の折曲部Ｃとなる。詳細に図示すると、折曲部Ａは、図８（ａ）に示すような折曲状態となり、折曲部Ｃは、図８（ｃ）に示すような折曲状態となる。
【００２５】
なお、この部屋の出入口となる接続構造体の両端部では、面ファスナ５で戸締りしなくても、単層部３同士が重なるので、部屋の内部が見えることはない。
【００２６】
また、居室として使用する部屋を形成する際には、図６に示すように、２個の接続構造体を１組として、各接続構造体をコ字状に折り曲げ、向かい合わせに並べる。そして、付属具６の切込７と、角部に臨む積層段ボール板１の上部の切込４とを相互に差し込んで、四隅の９０°の折曲部Ａの角度を保持し、面ファスナ５を有する単層部３を外側へ折り曲げて、面ファスナ５により接続構造体同士を連結する。
【００２７】
この組立過程において、接続構造体をコ字状に折り曲げる際、壁面の中央となる積層段ボール板１の接続部分は、１８０°の折曲部Ｂとなる。詳細に図示すると、折曲部Ｂは、図８（ｂ）に示すような折曲状態となる。
【００２８】
また、更衣室として使用する部屋を形成する際には、図７に示すように、２個の接続構造体を１組として、各接続構造体を図５のものと同様に組み立て、上下に積み重ねる。そして、これらの接続構造体は、連結及び保形用に伸ばした付属具６の下部及び上部の切込７と、角部に臨む下段側及び上段側の積層段ボール板１の上部及び下部の切込４とを、それぞれ相互に差し込んで、連結すると共に、組立形状を維持する。
【００２９】
このように、上記積層段ボール板の接続構造体では、扁平状態から使用形態への組み立てに際し、積層段ボール板１同士を、１枚の段ボール１ａのみから成る単層部３の罫線２に沿って折り曲げるので、９０°や１８０°だけでなく、２７０°に無理なく折り曲げることができ、災害発生時に容易に組み立てて、多目的の小部屋や広めの居室、高い視線を遮る更衣室等を用意することができる。
【００３０】
また、積層段ボール板１の段ボール１ａをずらして重ねることにより、単層部３を形成しているので、重なり合う段ボールの端縁を揃えた従来のものに比較して、接続部分を除いた有効寸法が同一である場合、材料の段ボールの使用面積を削減することができる。
【００３１】
なお、上記実施形態では、積層段ボール板１の上部及び下部にそれぞれ切込４を設けたものを例示したが、切込４は、組立形状で折曲部の角度を９０°に保持する必要がなければ、省略してもよく、更衣室等の組立時に積み重ねる場合でも、２段までの積み重ねであれば、積層段ボール板１の上部及び下部のいずれかのみに設けるだけでよい。
【００３２】
また、積層段ボール板１として、段ボール１ａを２枚重ね合わせたものを例示したが、３枚以上の段ボール１ａを重ね合わせ、そのうち外層となる段ボール１ａを各々逆方向へずらして、単層部３を形成することもできる。
【００３３】
また、接続構造体を構成する全ての積層段ボール板１が同寸法のものを例示したが、寸法の異なる積層段ボール板１を接続して、組立時の平面形状が長方形状となるような接続構造体を構成してもよい。
【００３４】
ところで、上記実施形態では、接続構造体の一例として、災害時に避難所で間仕切りとして使用されるものを示したが、このような接続部分を有する接続構造体は、見本市会場にブースを設置する場合の間仕切りのほか、大型物品の梱包材等、間仕切り以外の他の用途にも使用することができる。
【符号の説明】
【００３５】
１  積層段ボール板
１ａ  段ボール
２  罫線
３  単層部
４  切込
５  面ファスナ
６  付属具
７  切込
Ａ  折曲部（９０°）
Ｂ  折曲部（１８０°）
Ｃ  折曲部（２７０°）
【図１】
0005820748.tif 000002
【図２】
0005820748.tif 000003
【図３】
0005820748.tif 000004
【図４】
0005820748.tif 000005
【図５】
0005820748.tif 000006
【図６】
0005820748.tif 000007
【図７】
0005820748.tif 000008
【図８】
0005820748.tif 000009
【図９】
0005820748.tif 000010
【図１０】
0005820748.tif 000011